(57)【要約】脳ストレスを最小限に防ぐための措置を施しつつ、かつ体内温度を測定しつつ患者を温浴させることにより全身温熱療法を行う。前記ストレスを防止する手段としては、温浴の温源として青色、水色その他の色をつけた水などを使用する方法、患者の目に色光をあてる方法、患者に音を聞かせる方法、経穴又はツボを刺激する方法、頭部を冷却する方法、２種類以上の金属又は２種類以上の宝石からなる生体電流調整体を患者に付けたりベッドの患者に触れる部分に取り付け、金属イオンと磁場の働きによって脳のストレスを解消する方法などがある。患者の苦痛、負担を可及的に軽減しつつ、全身温浴療法の施術を行うことができる。
2003057098.tif 000002
【特許請求の範囲】
【請求項１】
脳ストレスを最小限に防ぐための措置を施しつつ、かつ体内温度を測定しつつ患者を温浴させることを特徴とする全身温熱療法
【請求項２】
脳ストレスを最小限に防ぐための措置方法は、以下（１）ないし（６）の何れか１つ又は２以上の組合せとした、請求項１記載の全身温熱療法
（１）温浴の温源として青色、水色その他の色をつけた水などを使用する方法
（２）患者の目に色光をあてる方法
（３）患者に音を聞かせる方法
（４）経穴又はツボを刺激する方法
（５）頭部を冷却する方法
（６）２種類以上の金属又は２種類以上の宝石からなる生体電流調整体を患者に付けたりベッドの患者に触れる部分に取り付け、金属イオンと磁場の働きによって脳のストレスを解消する方法
【請求項３】
温浴の温源は水又は泥その他水よりも比熱の高いものとした、請求項１記載の全身温熱療法
【請求項４】
温浴中の患者に水、微量元素水溶液、微量元素をヨウ化カリウム水に転写させた水溶液の何れか又は組合せを飲用させることを特徴とした、請求項１ないし３の何れかに記載の全身温熱療法
【請求項５】
浴槽と、患者の頭部内部の温度を測るための手段と、患者の体内の温度を測るための手段と、患者の脳細胞のストレスを解消するための手段とを備えたことを特徴とする、全身温熱療法装置
【請求項６】
脳ストレスを解消するための手段は、以下（１）ないし（５）の何れか１つ又は２以上の組合せとした、請求項４記載の全身温熱療法装置
（１）患者の目に色光をあてる手段
（２）患者に音を聞かせる手段
（３）経穴又はツボを刺激する手段
（４）頭部を冷却する手段
（５）浴槽に装着されたベッドに取り付けた２種類以上の金属又は２種類以上の宝石からなる生体電流調整体
【発明の詳細な説明】
技  術  分  野
この発明は、がん治療のための全身温熱療法（以下「ＷＢＨ」という。）及びそのための装置に関するものである。
背  景  技  術
１９７０年代後半になって、ある一定の温度に達するとがん細胞が死滅することが医学界において明らかになってからは、ＷＢＨはさかんに研究されるようになった。ＷＢＨの原理は、以下に示すがん細胞の特性を利用した非常にシンプルで解りやすいものである。
第一に、がん細胞は正常な細胞に比べて、熱に対する感受性が高い、つまり熱に弱いという特性を持っている。正常細胞には問題のない４２〜４３℃という温度ががん細胞にとっては致命的な環境となることが立証されている。
第二に、がん細胞は正常な細胞よりも血流が悪いという特性を持っている。すなわち、通常なら血流の増加で得られる細胞の冷却効果がなく、熱が細胞内にこもりやすいということも言える。
つまり温熱によるがん治療とは、がん細胞を正常細胞には影響のない、ある一定の温度に加熱することで、患部の細胞死を促進しようとする治療法である。
ＷＢＨが有効な理由は次のように言われている。
１，がん細胞は熱に弱いので、熱をあげると腫瘍細胞はどんどん死滅してゆく。
２，加温により、がん細胞の血管は拡大するが、４１〜４２℃を境として血管が収縮をはじめ、がん組織は虚血状態となる。正常細胞（組織）でも、加温とともに血管が拡大し、次に収縮をはじめるが、がん組織の方がより低い温度で血管が収縮をはじめ虚血状態となる。
３，がんはウイルスによって引き起こされている場合があるが、ウイルスも熱に弱い。ウイルスは３７℃が最適で３８℃以上になると、ウイルスの活動が弱まる。以上のように熱を加えると、がんは成長しないかまたは壊死を生じる。
がん種別による治療至適温度・時間は表１に示すとおりであり、ＨＩＶウイルスの治療至適温度・時間は表２に示すとおりである。
なお、治療至適温度・時間は臓器の種別には関係なく、病理学的に分類したがんの種類により異なる（一般に制がん剤・放射線治療は、臓器別・固体別によって効果が違う）ことが知られている。
がんの種類別によって熱感受性が異なり、子宮内膜腺がん細胞と、扁平上皮がん細胞を、シャレーの培養液２ｃｃ内に５万個を入れ、３７℃２４時間の温度条件下で安定させたものを使用した比較実験（熱感受性実験）を行うと
・腺がん‥‥‥…４１．０℃（３時間処理で死滅）
・扁平上皮がん‥‥４２．０℃（３時間処理で死滅）
という、国立感染症研究所の実験データが得られている。
このように、がん治療にＷＢＨが有効であることが裏付けられており、今日迄さまざまなＷＢＨが開発されてきた。
その代表的なものとして体外循環温熱療法がある。この体外循環温熱療法は、全身麻酔下で右または左大腿動脈と大腿静脈にフレンチサイズのカニューレをセルジンガー法で経皮的に穿刺挿入し、大腿動脈により脱血して熱交換器で３７℃の血液を４５℃に加温し、大腿静脈に環血するものである。
しかしこの方法は大腿動静脈に太い針を穿刺するため障害が生じやすく、また患者は治療後３〜４時間はベッド上に休まなければならない等問題が多い。
上記のような問題点のある体外循環温熱療法に代わるものとして、遠赤外線によるＷＢＨ、近赤外線によるＷＢＨ等様々な様式が開発されている。
上記遠赤外線や近赤外線を用いたＷＢＨにおいては、チャンバーと呼ばれる小さな空間内に患者を横たえ、身体の表面に遠赤外線又は近赤外線を照射して皮膚を介して身体内部を加温するものであった。
しかしながら、この方法では体の前後両側上下の全方向から同時に光を照射して加温することは不可能であった。
最も広い部位に照射するためには、患者を立たせて前後方向から照射する必要があり、そのためには患者を２〜３時間立たせておかなければならない。しかしながら、体の弱っている患者に長時間たったままの姿勢を取らせることは難しい。そしてこの姿勢においても足裏に照射することはできない。
そこで通常は患者を横たえて照射するが、横たえた姿勢では一層照射できる部位が限られる。
また、従来の遠赤外線を用いた温熱療法などでは、６０度Ｃないし７８度Ｃの温度が必要であり、患者は常時麻酔をかけていなければがまんできなかった。そして麻酔をかけることによる脳神経系への悪影響が懸念された。
しかしながら、この発明によれば、４０度Ｃ〜４５度Ｃという温度の温源を用いて身体内部の温度を４０度Ｃ以上に上昇させることができるので、麻酔ガスの供給を控えて充分な量の酸素を供給しつつ温熱療法を施すことができる。したがって脳細胞への悪影響は可及的に防止できる。
発  明  の  開  示
この発明のＷＢＨは、脳ストレスを最小限に防ぐための措置を施しつつ、かつ体内温度を測定しつつ患者を温浴させることを特徴とするものである。温浴は、浴槽に蓋をして患者の頭部のみを蓋から外へ出したり、頭部を含めて患者の体全体を浴槽に入れ、蓋を貫通させたパイプから酸素や麻酔ガスなどを供給するようにすると、水その他の温源の温度低下が防止できる。
前記脳ストレスを最小限に防ぐための措置手段としては、以下の手段が考えられる。これらの手段は、単独でも、複数の手段を適宜組み合わせて採用してもよい。
（１）温浴の温源として水色・青色その他の色をつけた水などを使用する。
赤色の映像と水色の映像とを被験者に５分間見せ、映像を見せる前後における体温の変化を調べたところ、赤色の映像では多くの被験者の体温が上昇したのに対して、水色の映像では多くの被験者の体温が低下している（表３）。このことから、温浴に用いる水などを赤色に着色することにより、水温が比較的低くとも体温を上昇させることができ、他方水色又は青色に着色することにより脳細胞が沈静化し、ストレスが緩和されるものと考えられる。
そこで、表３の結果を以下のように温浴に適用することができる。
一つは、皮膚温が上昇することにより身体が受けるストレスに対して、抗ストレス度が強い患者への適用である。
このような患者は温源の温度を高くしたまま長時間温浴を継続することができる。そこで、水その他の温源を赤色に着色し、高温に維持した温源の熱と、赤色の効果を併せることにより、体内温の上昇を促進することができる。
他方、抗ストレス度が弱い患者の場合、二通りの使用方法がある。
第一は、温源を赤色に着色することにより、温源の温度を比較的低くしつつも赤色の効果で体内温度の上昇を促すものである。実験において、温源の温度が４１度であっても赤色に着色することにより４２度の温源と同等の効果が確認された。
第二は、温源を水色又は青色に着色することにより、温源の温度が比較的高温であっても、体内の受けるストレスの軽減を計るものである。実験において、無色の温水よりも青色に着色した温水を使用した方が、患者の心拍及び呼吸のデータ並びに自己申告においてストレスが軽減されることが確認された。
なお、色は水色、青色の他、不眠の改善に効果のある青色と緑色の混ぜ合わせ、心臓疾患に効果のある緑色、頭痛に効果のある藍色、高血圧に効果のある赤紫色などの使用も好ましいと考えられる（表４）。
（２）目に色光をあてながら温浴を行う。
温源を着色するのではなく、目に色光（映像を含む）を当てても同様の効果を得ることができる。
（３）音を聞かせながら温浴を行う。
不眠を訴える被験者に、深呼吸時の「深い吸音」「深い呼音」を流し続けたり、音楽（例えばモーツアルト）を流し続けた場合、不眠の改善が見られることから（表５）、呼吸音や音楽によりストレスが緩和されるものと考えられる。
また、呼吸音又は音楽と映像とを流し続けた場合には一層の改善が見られることから、音を聞かせると共に温浴の温源に水色などの色を付けたり、色光を当てるなどすることにより、脳のストレスは一層解消されると考えられる。
（４）経穴又はツボを刺激しながら温浴を行う。
耳、頭部、手指など、温源から外部にでている部位の経穴又はつぼを刺激することにより、鎮静作用を得て麻酔ガスの代替としたり、全身又は脳のストレスが解消される。刺激の方法としては、針灸、低周波やレーザー照射（中周波、高周波その他を含む）など適宜の手法を採用することができる。
（５）頭部を冷却しつつ温浴を行う。
頭部を冷却することにより脳細胞に行く血液の温度が下げられたり、脳細胞が沈静化し、脳のストレスが解消される。
（６）２種類以上の金属と２種類以上の宝石からなる生体電流調整体を患者に付けたりベッドの患者に触れる部分に取り付け、金属イオンと磁場の働きによって脳のストレスを解消することができる（表６，表７参照）。
前記温浴の温源としては、水、海水、蒸留水、温泉水、ビタミン水溶液、アロマ水溶液、パラフィン水、キチンキトサン水溶液、酢、酢酸、酒類、アルコール（酢、酢酸、酒類、アルコールは水で希釈してもよい）の他、水よりも比熱の高い泥（水分を混ぜた土）、水分を混ぜたおがくず（木くず）など比熱の高いものも使用することが好ましい。
前記海水は、塩分を含んでいるので赤色に着色した場合と同じく、実際の温度以上に体温を上昇させる効果が得られ、温泉水も同様の効果が期待できる。またアロマ水溶液を使用するとストレス軽減効果が得られる。
比熱とはその物質の温度を上げるために必要な熱量のことであるから、比熱が高いものは、同じ温度であれば比熱の小さいものよりも多くの熱量を持っている。したがって、比熱の高いものは熱しにくく冷めにくいという性質が有り、より大きな熱量が全身を包むため体の奥まで温熱が均一に浸透するという利点がある。
水の比熱は空気の約２７倍であり、泥は水より大きな比熱である。
比熱の大きなものを使用することにより、全身の体の奥まで温熱が均一に浸透する為、従来は発見できなかった誕生間近の微細ながんまでも大きさや部位に関係なく細胞死させることができる。
請求項４の発明は、温浴中の患者に水、微量元素水溶液、微量元素をヨウ化カリウム水に転写させた水溶液のいずれか１種又は複数種を飲用させることを特徴とするものである。
前記水としては、トリハロメタンなどの発ガン物質や身体に悪影響を及ぼす危険のある溶媒を除いた水、海洋深層水、ミネラル水、πウオーター（商品名）、アルカリイオン水、電解水（酸性水、還元水）、その他の機能水を用いることが望ましい。
前記微量元素は、国際医学界において欠乏状態が報告されている微量元素である鉄、亜鉛、銅、マンガン、セレン、ヨウ素、クロム、ビタミンＢ２１の構成成分としてのコバルトがある。とりわけ、鉄とヨウ素の組合せが好ましい。
水を飲用させることにより、頭部の冷却と脳ストレスの解消を図ることができる。
また、水を飲用させることにより、温熱療法によるがん細胞やウイルスの死滅と同時に患者の体質改善を図ることができる。
微量元素水溶液又は微量元素をヨウ化カリウム水に転写させた水溶液を飲用させることに、微量元素がガン細胞に送り込まれ、ガン細胞が破壊される。表８はヨウ化カリウム水溶液に微量元素である鉄とヨウ素を混ぜてコロイド状としたものを末期ガン患者に服用させた臨床治験データである。このデータによれば、８９．６％の患者に有効性が認められた。
２３人の被験者に対して、水を飲用させつつ温熱療法を施した場合と、水を飲用させずに温熱療法を施した場合とで、温熱療法後の回復時間を比較した。その結果、水を飲用した場合は２２人の被験者が１５分以内に回復したのに対して、飲用しない場合は１９人の被験者が回復に３０分以上要した。
また、頭部温度についても同じ被験者で実験したところ、２８人の被験者が飲用した場合には飲用しない場合よりも頭部温度が０．３度以上低かった。
前記酸性水とは、隔膜で仕切った電解層においてプラス極に集まった水をいい、ｐＨ４．５〜５．５程度である。塩素イオン、硫酸イオンなどが含まれている。
酸性水は飲用には余り使用されていないが、共役性プロトン「Ｈ＋プラスｅ−」の働きで、緊急の場合飲用することで、腹痛、下痢、糖尿エソ、火傷、凍傷などに際だった効果をもたらすことが医学界でよく知られている。
また、業務用のｐＨ３．０以下の酸化水は強力な殺菌力があり、ＭＲＳＡ菌、水虫菌、アトピー性皮膚炎、痔疾患に使用されている。
前記還元水とは、上記電解層においてマイナス極に集まった水をいい、ｐＨ８．５〜１０．５程度である。溶存酸素量は５〜６ｐｐｍであり、カルシウムイオン、マグネシウムイオン、ナトリウムイオンが多く含まれている。
還元水は熱伝導生がよく、膨潤作用が高いので栄養素をよく溶かし体内への吸収をよくし、栄養素を無駄なくエネルギーに換える作用がある。
前記水について補足する。
人体の６０〜７５％（重量）が水分であることは周知に事実であり、各器官に含まれる水分量（重量）はおおよそ以下のとおりである。血液８３．０％、腎臓８２．７％、心臓７９．２％、肺臓７９．０％、脾臓７５．８％、筋７５．６％、脳７４．８％、腸管７４．５％、皮膚７２．０％、肝臓６８．３％、骨格２２．０％、脂肪組織１０．０％である。
そして、成人の消化管では、通常、常時８〜９リットルの水分が貯えられ、腎臓では１日に約１４４リットルの水が循環している。
消化管内での水の働きは、溶解性と分散性である。
溶解性とは、物質が液体中によく混ざり、消化物を溶かし込む役割であり、分散性とは水と食品を消化させるような反応、脂肪や蛋白質をシセル反応でマヨネーズのようにして腸管に吸収しやすい状態にする役割である。
人体を健康体に維持するための働きと温熱療法とにおける熱エネルギーの伝達消化のために、細胞内や粘膜、生体膜では多量のエネルギーを消費している。このとき、潤沢なエネルギーを正しく消費させるためには、上記水の機能（溶解性、分散性）が不可欠である。したがって、温熱療法中に水を飲用させることにより、水の機能を発揮しやすい状態となる。
機能水について以下のとおり補足する。
１９６５年１０月８日付けで厚生省薬務局長より各都道府県知事あての「薬務第７６３号」において電解水（陰極水及び陽極水）の効果、効能を認可する通達が出され、１９９３年に厚生省は、電解水の正しい情報を伝達するために、財団法人機能水研究振興財団を東京都渋谷区に設立した。
この財団のパンフレットにおいて、機能水とは「一般に水溶液系における溶媒として水と溶質との各種イオン種、あるいは水とイオン種間の相互作用等は外力によって大きく変化することが知られております。本財団では水溶液系に外部よりエネルギーを付与し、物理化学的処理を施し、生成される生成水溶液の内、主として医療分野に応用できるような高度利用可能なものを機能水と定義しております。」と説明されている。
請求項５，６の発明は請求項１ないし４の発明を実施するための装置に関するものである。
請求項５の発明は、浴槽と、患者の頭部内部の温度を測るための手段と、患者の体内の温度を測るための手段と、患者の脳細胞のストレスを解消するための手段とを備えたことを特徴とするものである。
請求項６の発明は、脳ストレスを解消するための手段として、（１）患者の目に色光をあてる手段、（２）患者に音を聞かせる手段、（３）経穴又はツボを刺激する手段、（４）頭部を冷却する手段、（５）浴槽に装着されたベッドに取り付けた２種類以上の金属と２種類以上の宝石からなる生体電流調整体のうちの何れか１つ又は２以上の組合せとしたものである。
前記患者の目に色光をあてる手段としては、着色シートを透過させるようにした光源やモニタ画面を用いる他、患者に着色した眼鏡を装着させるようにすることもできる。
前記患者に音を聞かせる手段は、スピーカーでもよいが音が直接耳に入り外部音が遮断されるヘッドフォンが好ましい。
前記経穴又はツボを刺激する手段としては、小型のバイブレータを患者に取り付けたり、患者に被せる帽子に小型のバイブレータを装着したり、針灸、低周波又はレーザー照射を行う構造が考えられる。
前記頭部を冷却する手段としては、氷や冷却効果のある化学剤（例えば「アイスノン」商品名）を頭部に装着する方法、冷水シャワーによる方法などが考えられる。
前記頭部内部の温度を測定する手段は、鼻から管を入れて頭部内部の温度を計るようにしたものや、外から頭部内部の温度を計るようにしたもの（例えばテルモのコア温度計：商品名）を用いる。
前記身体の内部の温度を測定する手段は、お尻からセンサーを入れて直腸の温度を測るものを用いる。ちなみに、直腸が体内の深部温に近いと言われている
この発明において、患者の脳のストレスを解消しつつ温浴させるので、高い温浴効果が得られる。そして体内温度を測定しつつ温浴することにより、治療至適温度での温浴が可能となる。そして、温浴の温源として泥など比熱の高いものを使用することにより、身体の内部まで無理なく加熱することが可能となり、体の奥に存在するがん細胞も治療することができる。
しかも、この発明においては、４０度Ｃ〜４５度Ｃという温度の温源を用いて身体内部の温度を４０度Ｃ以上に上昇させることができるので、麻酔ガスの供給を控えて充分な量の酸素を供給しつつ温熱療法を施すことができる。したがって脳細胞への悪影響は可及的に防止できる。
なお、この発明はがんの他、白血病、ＨＩＶ、Ｃ型肝炎、パーキンソン病、膠原病、マラリア、眠り病、象皮病の治療にも有効なものと考えられる。なお、マラリア、眠り病、象皮病などの原虫病の治療には温熱療法の効果が確認されている。
発明を実施するための最良の形態
図において、浴槽１，頭部内部の温度を測る温度計２，麻酔装置３，頭部冷却装置４，体内温度を計る温度計５、点滴装置６でこの発明の全身温熱療法装置を構成しており、前記浴槽１にはベッド７が設置してあると共に、レベルセンサー８，加熱装置９が付設してある。
前記頭部内部の温度を測る温度計は、脳のストレスの大小を温度変化として把握するためのものであり、鼻から管１０を入れて頭部内部の温度を計り、その値がコントロールパネル（図示しない）に表示されるようにしてある。
前記麻酔装置３は、ガス麻酔を行うためのものである。浴槽に入る前に注射で麻酔をしておいて浴槽に入ってからはガス麻酔を使用する。麻酔を行うことにより患者の筋肉が弛緩し、リラックスするので、温熱効果が得られやすい。
前記頭部冷却装置４は帽子型の装着部４ａに冷水シャワー用のシャワーノズル又は冷気噴出シャワーノズルを設けて構成してある。そして、装着部４ａ作動部には頭部内部を測定する温度計と音楽を聴けるヘッドフォンと眼に色光をあてる眼鏡と耳ツボを刺激するバイブレータとが組み込んである。
前記体内温度を測定する温度計５は、肛門からセンサー１１を入れて直腸の温度を測るようにしてある。この温度計の計測値は図示しないコントロールパネルに表示される。したがって、この測定値が患者のがんの種別にあった熱感受性温度帯域に達した後、治療至適時間の間、患者は温浴を継続する。また、患者の体内温度が熱感受性温度帯域を維持するように、加熱装置によって温源の温度を調整する。
前記ベッド７の患者が触れる部分に、生体電流が流れることによりその周囲に発生する磁場（生体磁場）を改善するための磁場誘導体１２が取り付けてある。この磁場誘導体１２は２種類以上の粉状、または粒状、塊状、板状の宝石と金属によって形成される。
磁場誘導体１２を形成する宝石の効能は表７に示すとおりである。患者のストレスを解消する目的においては、碧翠、ヘマタイト、アメジスト、カーネリアン、ガーネット、タイガーアイ、トルコ石などが好ましいと考えられる。
また、宝石に代えて金属を用いると、金属イオン発生体が得られ、遊離された金属のマイナスイオンが皮膚を通じて体内に入り、宝石の場合と同じく生体電流の改善が図られる。
前記宝石及び金属は組み合わせて使用してもよい、また宝石や金属が皮膚に接触するように構成し（例えば指輪の内側に取り付ける）、患者が装着するようにしてもよい。
上記のような宝石・金属の機能により、身体の細胞の活性化とストレス解消の効果が得られる。
前記ベッド７は、脚部７ａと背部７ｂとに分割され、脚部と背部との角度調整が可能であり、また高さも調整可能としてある。
また、浴槽内に温源として対流しない泥やおがくずを充填する場合は、前記加熱装置９として浴槽にヒーターを装着する。
以上のように構成された装置を用いて温熱療法を行う場合、まず浴槽１に温源１３（泥が好ましい）を充填する。温源としては、水などの液体でもよいが、比熱の高い泥が好ましい。温源１３を加熱した後、患者を浴槽１に入れ、ベッドに載せる。
次いで、患者に温度計の管１０，麻酔装置のマスク、帽子型の作動部４ａ、体内温度測定器のセンサー１１を装着し、各装置のスイッチを入れる。
各装置のスイッチを入れると、帽子型の作動部４ａにより頭部が冷却され、リラックス効果のある色彩の光が目に入り、ヘッドフォンからリラックス効果のある音（音楽）が耳に入り、麻酔装置から麻酔ガスが送り込まれ、バイブレータによって耳のつぼが刺激される。併せて、ベッド７に取り付けられた磁場誘導体１２の作用によって体内電流が整えられる。
これらの作用により、患者は治療中でありながら次第に脳のストレスが解消される。あわせて、温源の作用により体内温度が上昇する。体内温度の変化は体内温度測定器５によって把握できるので、体内温度が熱感受性温度域まで達した後、治療至適時間の間、患者に温浴を継続させる。
このような手順により、患者はストレスを最小限に押さえた状態で温熱療法の治療を受けることができる。
ＦＩＶに罹患した猫に対してこの発明の温浴療法を施したところ、３検体全てＦＩＶ陰性となった。
ＦＩＶはＨＩＶと遺伝子の配列が非常に似ており、医学界ではＦＩＶを完治させることができればＨＩＶも完治できる可能性が非常に高いといわれている。そして、猫の体温は人間と同じく３６．５度Ｃないし３７度Ｃ程度である。
上記試験の条件は以下のとおりである。
温源の種類          水色の温水
温度、温浴時間      ４２度Ｃ、２時間、浴槽に蓋を被せた。
その他のストレス緩和手段
麻酔ガスと酸素の混合注入
頭部冷却
２種以上の金属と２種以上の宝石を検体に接触させた。
産業上の利用可能性
この発明によれば、可及的にストレスの少ない状態で温熱療法を施術することができる。また、患者は通常の入浴と殆ど代わらない状態で施術を受けることができ、施術に伴う苦痛を感じることもない。
しかも、従来の遠赤外線などをも強いた温熱療法では、全身に同時に照射することは不可能であったが、この発明によれば全身の全方向から熱が体内に作用する。そして水その他の温源は比熱が大きい（水は空気の２６倍）ので、４０度Ｃないし４５度Ｃ程度のやけどをするおそれのない温度で、体を包み込みつつ深部体温を上昇させることができるので、温熱が全身に均一に浸透する。
従来の遠赤外線を用いた温熱療法などでは、６０度Ｃないし７８度Ｃの温度が必要であり、患者は常時麻酔を掛けていなければがまんできなかった。そして麻酔をかけることによる脳神経系への悪影響が懸念された。しかしながら、この発明によれば、４０度Ｃ〜４５度Ｃという温度の温源を用いて身体内部の温度を４０度Ｃ以上に上昇させることができるので、麻酔ガスの供給を控えて充分な量の酸素を供給しつつ温熱療法を施すことができる。したがって脳細胞への悪影響は可及的に防止できる。
また、従来の温熱療法でしばしば用いられていたカテーテルの穿刺挿入という危険な行為がなく、電磁波照射という安全性が未確認な行為もない。
したがって、この発明によれば、安全でかつ患者の苦痛が可及的に少ない温熱療法の施術が可能となる。
2003057098.tif 000003
2003057098.tif 000004
2003057098.tif 000005
2003057098.tif 000006
2003057098.tif 000007
2003057098.tif 000008
2003057098.tif 000009
2003057098.tif 000010
【図面の簡単な説明】
図１は、この発明の実施形態を示す断面図
符号の説明
１浴槽
２温度計
３麻酔装置
４頭部冷却装置
５温度計
６点滴装置
７ベッド
８レベルセンサー
９加熱装置
１０管
１１センサー
１２磁場誘導体
１３温源
【図１】
2003057098.tif 000011
【国際調査報告】
2003057098.tif 000012
2003057098.tif 000013
2003057098.tif 000014
2003057098.tif 000015
2003057098.tif 000016
2003057098.tif 000017
2003057098.tif 000018